(57)【要約】      （修正有）【課題】より効率的な洗浄のために分解可能で、コンパクトな保管のため折り畳み可能な食器類、平皿類等のための改良された皿乾燥用マット及びラックを提供する。【解決手段】マット１１及びラック１２を含む組合せ式皿乾燥用マット及びラック１０。マット１１は、上面１３ａ、１３ｃと、底面と、複数の側面とを有する。ラック１２は、開位置のマット１１の上面の少なくとも一部に載置される基部２４を有する。ラック１２は、基部２４から上向きに延びる複数のリブを有し、これらは対応する複数の溝を形成し、複数のリブと溝は台所用品を保持するよう機能的に配置される。ラック１２は、基部２４から上向きに延び、ペアで配置される複数の突起も有する。各ペアの各突起はラック１２の基部２４を横切り横方向に互いに対向して配置される。【選択図】図１
2017113509.tif 000002
【特許請求の範囲】
【請求項１】
上面と、底面と、複数の側面とを有するマットと、
基部を有するラックとを備え、
該ラックの該基部は、開位置の該マットの該上面の少なくとも一部の上に載置され、該ラックは、該基部から上向きに延びる複数のリブと複数の溝とを有し、
該複数のリブは、対応する複数の溝を形成し、
該複数のリブと溝は、台所用品を実質的に直立位置に保持するよう機能的に配置されることを特徴とする組合せ式皿乾燥用マット及びラック。
【請求項２】
前記複数の溝は同一平面上で互いに平行で、前記複数のリブは同一平面上で互いに平行で、該複数のリブと溝は前記ラックの基部を横切り横方向に延びることを特徴とする請求項1記載の組合せ式皿乾燥用マット及びラック。
【請求項３】
前記ラックは前記基部から上向きに延びる複数の突起と該基部内に凹む複数のスロットとをさらに備え、
該複数の突起はペアとして配置され、各ペアの各突起は前記ラックの基部を横切り横方向に互いに対向して配設され、該複数のスロットは同一平面上にあり、互いに平行であることを特徴とする請求項1記載の組合せ式皿乾燥用マット及びラック。
【請求項４】
前記複数のリブと前記複数の突起とは、前記ラックの前記基部と一体であることを特徴とする請求項3記載の組合せ式皿乾燥用マット及びラック。
【請求項５】
前記マットは、該マットの上面に固定され、前記ラックを該マットに固定するよう機能的に配置された少なくとも1つの取付手段をさらに備えることを特徴とする請求項1記載の組合せ式皿乾燥用マット及びラック。
【請求項６】
前記少なくとも1つの取付手段はストラップで、該少なくとも１つのストラップは、前記マットの上面に前記ラックの前記基部を取り外し可能に固定するよう配置されることを特徴とする請求項5記載の組合せ式皿乾燥用マット及びラック。
【請求項７】
前記マットは、複数のセグメントと、少なくとも1つの折り目をさらに備え、
各折り目は2つのセグメントのそれぞれの間に仕切りとして配設され、該マットは折り目周囲で閉位置に折り畳み可能に機能的に配置されることを特徴とする請求項1記載の組合せ式皿乾燥用マット及びラック。
【請求項８】
前記マットは、3つのセグメントと2つの折り目を備え、前記ラックは第2セグメントの上面に載置され、第1セグメントは第1折り目周囲で折り畳まれて該ラック上に配設され、第3セグメントは第2折り目周囲で折りたたまれ、第1折り目上に配設されることを特徴とする請求項7記載の組合せ式皿乾燥用マット及びラック。
【請求項９】
前記マットは、該マットの底面に固定され、閉位置にマットを固定する少なくとも1つの取付手段をさらに備えることを特徴とする請求項1記載の組合せ式皿乾燥用マット及びラック。
【請求項１０】
前記少なくとも1つの取付手段はストラップで、該少なくとも1つのストラップは、閉位置に折りたたまれた時、前記マットを取り外し可能に固定するよう配置されることを特徴とする請求項9記載の組合せ式皿乾燥用マット及びラック。
【請求項１１】
前記ラックは、実質的に剛性の材料で作られることを特徴とする請求項1記載の組合せ式皿乾燥用マット及びラック。
【請求項１２】
前記ラックは、プラスチックで作られることを特徴とする請求項11記載の組合せ式皿乾燥用マット及びラック。
【請求項１３】
前記マットは、実質的に柔軟な材料で作られることを特徴とする請求項1記載の組合せ式皿乾燥用マット及びラック。
【請求項１４】
前記マットは、マイクロファイバーで作られることを特徴とする請求項13記載の組合せ式皿乾燥用マット及びラック。
【請求項１５】
前記マットは、実質的に矩形であることを特徴とする請求項1記載の組合せ式皿乾燥用マット及びラック。
【請求項１６】
前記ラックは、実質的に矩形であることを特徴とする請求項1記載の組合せ式皿乾燥用マット及びラック。
【請求項１７】
上面と、底面と、複数の側面とを有するマットと、
基部を有するラックとを備え、
該ラックの該基部は、開位置の該マットの該上面の少なくとも一部の上に載置され、
該ラックは、
該基部から上向きに延びる複数のリブと
複数の溝で、該複数のリブは、対応する複数の溝を形成し、該複数のリブと溝は、台所用品を実質的に直立位置に保持するよう機能的に配置され、該複数の溝は同一平面で互いに平行で、該複数のリブは同一平面で互いに平行であるものと、
該基部から上向きに延びる複数の突起で、該複数の突起はペアで配置され、各ペアの各突起は該ラックの該基部を横切り横方向に互いに対向して配設されるものと、
該基部内に凹む複数のスロットで、該複数のスロットは同一平面上にあり、互いに平行で、該複数の突起とスロットは台所用品を保持するよう機能的に配置されるものとを有することを特徴とする組合せ式皿乾燥用マット及びラック。
【請求項１８】
前記マットは、該マットの上面に固定され、前記ラックの前記基部を該マットの前記上面に取り外し可能に固定するよう機能的に配置された少なくとも1つの取付手段をさらに備えることを特徴とする請求項17記載の組合せ式皿乾燥用マット及びラック。
【請求項１９】
前記マットは、複数のセグメントと、少なくとも1つの折り目をさらに備え、
各折り目は2つのセグメントのそれぞれの間に仕切りとして配設され、該マットは折り目周囲で閉位置に折り畳み可能に機能的に配置されることを特徴とする請求項17記載の組合せ式皿乾燥用マット及びラック。
【請求項２０】
前記マットは、3つのセグメントと2つの折り目を備え、前記ラックは第2セグメントの上面に載置され、第1セグメントは第1折り目周囲で折り畳まれて該ラック上に配設され、第3セグメントは第2折り目周囲で折りたたまれ、該第1折り目上に配設されることを特徴とする請求項19記載の組合せ式皿乾燥用マット及びラック。
【発明の詳細な説明】
【技術分野】
【０００１】
本発明は、概して台所用品用の組合せ式皿乾燥用マット及びラックに関し、より詳しくは、より効率的な洗浄のために分解可能で、コンパクトな保管のため折り畳み可能な食器類、平皿類等のための改良された皿乾燥用マット及びラックに関する。
【背景技術】
【０００２】
皿乾燥用マット及びラックは周知の製品で、プレートやボウル、グラス、調理器具等各種台所用品を乾燥及び保管するための領域を提供する。一般に皿乾燥用ラックは、基部と、台所用品を保持して乾燥するよう機能的に(operatively)配置された複数の排水スロットとを備える。同様に、皿乾燥用マットは、各種台所用品を乾燥及び保管するための領域も提供する。しかしながら、乾燥用マットは一般に、乾燥用ラックに見られる基部と複数の排水スロットでなく、クッション付き平面を備える。長い間、皿の洗浄及び乾燥工程をより効率的にするため多くの装置が開発されてきた。自動の電動食洗機は周知であるが高価であり、誰もが購入できるものではない。従って、皿、平皿、調理器具等の手動洗浄及び乾燥のための改良された装置及び方法が継続的に必要とされている。
【０００３】
洗浄後、空気乾燥工程を迅速化するため、皿は通常、シンクに隣接するカウンタートップ上の乾燥用ラックに置かれる。従来の皿乾燥用ラックの問題点は、一部のラックでは、排水がカウンターに溜まり、その後、床に垂れることを防ぐため、ラックの下にタオルを用いる必要があることである。
【０００４】
従来の皿乾燥用ラックの別の問題は、一部のラックが調理器具保持用領域を含まないことである。このようなラックでは、調理器具は排水スロットを通って皿乾燥用ラックの下のタオルに落ちる傾向があるため、正しく乾燥されない。別途調理器具領域を備える従来の皿乾燥用ラックもあるが、これらは大型でかさばる傾向があるため、洗浄と保管が困難である。
【０００５】
従来の皿乾燥用マットの問題は、その大半が、プレートを縦に保持したり、調理器具を保持したりするためのあらゆる種類の仕切りや凹部、溝を含まないことである。従って、乾燥用マットに水平に保管する場合、大きなスペース量を占有するため、乾燥用マット上で複数のプレートを同時に乾燥及び保管することが困難である。
【０００６】
そのため、排水がラックの開口を通ってマットに吸収されるようにする、マット部分の上に載置するラック部分を含む組合せ式皿乾燥用マット及びラックが長く必要と感じられている。排水がラックを通じて流れて下のマットに吸収される、審美的に快適な組合せ式皿乾燥用ラック及びマットも長く必要と感じられている。さらに、皿領域及び調理器具領域と、洗浄が容易でコンパクトに保管できるよう分解及び折り畳みが可能である組合せ式皿乾燥用ラック及びマットが長く必要と感じられている。
【発明の概要】
【０００７】
本発明は、全体としてマットとラックを含む組合せ式皿乾燥用マット及びラックである。マットは、上面と、底面と、複数の側面とを有する。ラックは、開位置のマットの上面の少なくとも一部に載置される基部を有する。ラックは、基部から上向きに延びる複数のリブと、複数のリブによって形成された対応する複数の溝を有する。複数のリブ及び溝は、ほぼ直立位置に台所用品を保持するよう機能的に配置される。複数の溝は同一平面上にあり互いに平行で、複数のリブは同一平面上にあり互いに平行で、複数のリブと溝はラックの基部を横切り横方向に延びるのが望ましい。さらに、ラックは、基部から上方に延びる複数の突起と、基部内に凹む複数のスロットとをさらに備える。複数の突起はペアとして配置され、各ペアの各突起はラックの基部を横切り横方向に互いに対向して配設され、複数のスロットは同一平面上にあり互いに平行である。複数のリブと複数の突起は、ラックの基部と一体であることが望ましい。
【０００８】
ある実施態様において、マットは、マットの上面に固定され、ラックをマットに固定するよう機能的に配置された少なくとも1つの取付手段をさらに備える。少なくとも1つの取付手段は少なくとも1つのストラップで、少なくとも１つのストラップは、マットの上面にラックの基部を取り外し可能に固定するよう配置されることが望ましい。しかしながら、少なくとも1つの取付手段は、ストラップ、フック及びループファスナー、ボタン等、当業で周知のあらゆる好適な取付手段でよい。
【０００９】
別の実施態様では、マットは、複数のセグメントと、少なくとも1つの折り目をさらに備え、各折り目は2つのセグメントそれぞれの間に仕切りとして配設され、マットは折り目周囲で閉位置に折り畳み可能に機能的に配置される。マットは3つのセグメントと2つの折り目を備え、ラックは第2セグメントの上面に載置されるのが望ましい。第1セグメントは第1折り目周囲で折り畳まれてラック上に配設され、第3セグメントは第2折り目周囲で折りたたまれ、第1折り目上に配設される。さらに、マットは、マットの底面に固定され、閉位置にマットを固定する少なくとも1つの取付手段をさらに備える。この少なくとも1つの取付手段はストラップで、この少なくとも1つのストラップは、閉位置に折りたたまれた時、マットを取り外し可能に固定することが望ましい。しかしながら、この少なくとも1つの取付手段は、ストラップ、フック及びループファスナー、ボタン等、当業で周知のあらゆる好適な取付手段でよい。
【００１０】
ある実施態様では、ラックは、プラスチック、金属、木等の実質的に剛性の材料で作られる。しかしながら、ラックは当業で周知のあらゆる好適な材料で作ることが可能であることが理解される。逆に、マットは、マイクロファイバー、布等の実質的に柔軟な材料で作られる。しかしながら、マットは当業で周知のあらゆる好適な材料で作ることが可能であることが理解される。
【００１１】
別の実施態様では、マットとラックはいずれも実質的に矩形である。しかしながら、マットとラックはいずれも当業で周知のあらゆる好適な形状及びあらゆる好適な寸法でよいことが理解される。
【００１２】
本発明のこれら、及びその他目的と利点は、本発明の好適な実施態様の以下の説明や添付の図面及び請求の範囲から容易に理解可能である。
【図面の簡単な説明】
【００１３】
本発明の性質及び動作モードを、添付の図面に照らして、以下の発明の詳細な説明においてより十分に説明する。
【図１】図1は、本発明の組合せ式皿乾燥用マット及びラックの実施態様の斜視図で、第1開位置で台所用品アイテムを保持しているところを示す。
【図２】図2は、図1に示す図に類似の組合せ式皿乾燥用マット及びラックの正面斜視図で、台所用品を取り除いて示す。
【図３】図3は、図2に示す図に類似の組合せ式皿乾燥用マット及びラックの別の実施態様の斜視図だが、第2開位置で示す。
【図４】図4は、図2の組合せ式皿乾燥用マット及びラックの分解図である。
【図５】図5は、図2の組合せ式皿乾燥用マット及びラックの上面図である。
【図６】図6は、図2の組合せ式皿乾燥用マット及びラックの底面図である。
【図７】図7は、図2の組合せ式皿乾燥用マット及びラックの正面図である。
【図８】図8は、図2の組合せ式皿乾燥用マット及びラックの背面図である。
【図９】図9は、図2の組合せ式皿乾燥用マット及びラックの左側面図である。
【図１０】図10は、図2の組合せ式皿乾燥用マット及びラックの右側面図である。
【図１１】図11は、図2の組合せ式皿乾燥用マット及びラックの別の実施態様の斜視図であるが、閉位置で示す。
【発明を実施するための形態】
【００１４】
(発明の詳細な説明)
まず、異なる図面の同様の図面番号は、発明の同一あるいは機能的に類似の構造要素を示すことを理解しなければならない。本発明の属性を明確に表すため、図面の比率と角度は必ずしも縮尺通りでないことも理解しなければならない。
【００１５】
本発明は、現在、好適な態様と考えられるものに関して説明するが、請求の本発明は、開示の態様に限定されないことが理解される。本発明は、特許請求の精神及び範囲内での各種修正及び同等配置を含むことを意図する。
【００１６】
さらに、本発明は記載の特定の方法、材料、及び修正に限定されず、従って当然ながら変更可能であることが理解される。また、本書で用いる用語は特定の態様を記述する目的のためにのみ使用され、本発明の範囲を限定する意図はなく、本発明は特許請求の範囲によってのみ限定することが理解される。
【００１７】
特に定義しない限り、本明細書で用いるすべての技術的及び科学的用語は、本発明が属する分野の当業者の共通の理解と同じ意味を有する。本書に述べるものと類似、又は同等のあらゆる方法、装置又は材料を本発明の実施、又は試験に用いることができるが、好適な方法、装置、及び材料について述べる。
【００１８】
図を参照すると、図１は、以下「皿乾燥アセンブリ10」と呼ぶ本発明の組み合わせ式皿乾燥用マット及びラック10の斜視図である。皿乾燥アセンブリ10は、マット11とラック12とを備える。マット11は、カウンタートップ等の平面上に載置するよう適合され、皿、カップ、調理器具等の台所用品を保持及び保管するよう機能的に配置される。同様に、ラック12は、複数の皿90a、90b、90c等の台所用品を保持及び保管するよう機能的に配置されるが、マット11と異なり、ラック12は実質的に直立させてアイテムを保持する。
【００１９】
図2は、図1のそれと類似の皿乾燥アセンブリ10の斜視図であるが、複数の皿90a、90b、90cを取り外して示す。さらに、図2は第1開位置における皿乾燥アセンブリ10を示す。
【００２０】
図2と同様、図3は皿乾燥アセンブリ10の斜視図を示す。しかしながら、図3は第2開位置における皿乾燥アセンブリ10を示す。
【００２１】
図4は、皿乾燥アセンブリ10の分解図である。
【００２２】
図5は、皿乾燥アセンブリ10の上面図、図6は、皿乾燥アセンブリ10の底面図である。
【００２３】
図7は、皿乾燥アセンブリ10の正面図、図8は、皿乾燥アセンブリ10の背面図である。
【００２４】
図9は、皿乾燥アセンブリ10の左側面図、図10は、皿乾燥アセンブリ10の右側面図である。
【００２５】
図11は、皿乾燥アセンブリ10の別の実施態様の斜視図を閉位置で示す。
【００２６】
図1から図11に示すように、皿乾燥アセンブリ10は全体として、マット11とラック12とを備える。マット11は上面セグメント13a、13b、及び13cと、底面セグメント14a、14b、14cと、複数の側面18a、18b、18c及び18dとを備える。好ましくは、第1側面18aと第3側面18cは互いに平行で、第2側面18bと第4側面18dは互いに平行である。さらに、マット11の第2上面セグメント13bは、ストラップ15aと15bとを備える。同様に、第3上面セグメント13cは、ストラップ16aと16bとを備える。図2に示すように、ラック12は基部24を有し、基部はマット11の上面セグメント13b（図4に示す）上に載置されて第1開位置を形成する。第1開位置にある時、ストラップ15aとストラップ15bとは互いに対向して配設され、ラック12の基部24をマット11に取り外し可能に固定する。同様に、図3では、ラック12は基部24を有するが、基部24は上面セグメント13c上に載置されて第2開位置を形成する。第2開位置にある時、ストラップ16aとストラップ16bとは互いに対向して配設され、ラック12の基部24をマット11に取り外し可能に固定する。この第2開位置によって、ユーザは食器セットのような大型アイテムをマット11上で乾燥させる追加スペースを与えられる。図面は第1開位置と第2開位置とで皿乾燥アセンブリを示すが、他の構成も可能であることは当業者にとっては容易に明らかである。さらに、ラックは複数のストラップを介してマットに固定されるのが望ましいが、ラックをマットに固定する取付手段は、ストラップ、フック及びループファスナー、ボタン等、当業で周知のあらゆる好適な取付手段でよいことを理解すべきである。
【００２７】
図5に示すように、ラック21は、ラック縁21a、21b、21c、21dを備える。第1ラック縁21aと第3ラック縁21cは互いに平行で、第2ラック縁21bと第4ラック縁21dは互いに平行であるのが望ましい。ラック12は、基部24から上向きに延びる複数のリブ26a、26b、…26mと、複数のリブ26a、26b、…26mによって形成された対応する複数の溝28a、28b、…28kとを有する。複数のリブ26a、26b、…26mと複数の溝28a、28b、…28kは、実質的に直立位置に台所用品を保持するよう機能的に配置される。複数の溝28a、28b、…28kは同一平面上で互いに平行で、複数のリブ26a、26b、…26mは同一平面上で互いに平行で、複数のリブ26a、26b、…26mと複数の溝28a、28b、…28kとは第1ラック縁21aから第3ラック縁21cへラック12の基部24を横切り横方向に走るのが望ましい。排水を容易にするため、複数の溝28a、28b、28c、28d、28e、28f、28g、28h、28i、28j、及び28kはラック12の基部24と一体である。複数のリブ26a、26b、…26mは互いに平行で、実質的に同じ幅と長さで、互いに関して等しい間隔を空けるのが望ましい。同様に、複数の溝28a、28b、…28kは互いに平行で、実質的に同じ幅と長さで、互いに関して等しい間隔を空けるのが望ましい。
【００２８】
特に、溝28aは基部24と2つの隣接するリブ26a及び26bから形成され、溝28bは基部24と2つの隣接するリブ26b及び26cから形成され、溝28cは基部24と2つの隣接するリブ26c及び26dから形成され、溝28dは基部24と2つの隣接するリブ26d及び26eから形成され、溝28eは基部24と2つの隣接するリブ26e及び26fから形成され、溝28fは基部24と2つの隣接するリブ26f及び26gから形成され、溝28gは基部24と2つの隣接するリブ26g及び26hから形成され、溝28hは基部24と2つの隣接するリブ26h及び26iから形成され、溝28iは基部24と2つの隣接するリブ26i及び26jから形成され、溝28jは基部24と2つの隣接するリブ26j及び26kから形成され、溝28kは基部24と2つの隣接するリブ26k及び26mから形成される。各26a、26b、…26mの高さは実質的に等しいことが望ましいが、皿乾燥アセンブリ10のリブ26a、26b、…26mの高さが違っていてもいいことは明らかである。皿乾燥アセンブリ10は好適な実施態様では12本のリブと11本の溝とを備えるが、皿乾燥アセンブリ10はそれより少ない、あるいは多い数のリブ及び溝を備えていいことは明らかである。
【００２９】
さらに、ラック12は第1の複数の突起22a、22b、…22jと、第2の複数の突起23a、23b、…23jと、基部24内に凹む複数のスロット25a、25b、…25jとをさらに備える。第1の複数の突起22a、22b、…22jは均一な高さで、互いと同一で、基部24から上向きに延びることが望ましい。同様に、第2の複数の突起23a、23b、…23jは均一な高さで、互いと同一で、基部24から上向きに延びる。第1の複数の突起22a、22b、…22jと第2の複数の突起23a、23b、…23jとは補完的ペアとして配置され、各ペアの各突起は、第1ラック縁21aから第3ラック縁21cまでラック12の基部24を横切り横方向に、互いに対向して配置される。複数のスロット25a、25b、…25jは同一平面上で互いに平行に、第1ラック縁21aから第3ラック縁21cまでラック12の基部24を横切り横方向に延びる。第1の複数の突起22a、22b、…22jと第2の複数の突起23a、23b、…23jはラック12の基部24と一体であることが望ましい。排水を容易にするため、複数のスロット25a、25b、25c、25d、25e、25f、25g、25h、25i、及び25jはラック12の基部24と一体である。
【００３０】
各スロットは2個の突起の補完的ペアによって区切られることが望ましい。特に、スロット25aは突起ペア22a、23aと突起ペア22b、23bによって区切られ、スロット25bは突起ペア22b、23bと突起ペア22c、23cによって区切られ、スロット25cは突起ペア22c、23cと突起ペア22d、23dによって区切られ、スロット25dは突起ペア22d、23dと突起ペア22e、23eによって区切られ、スロット25eは突起ペア22e、23eと突起ペア22f、23fによって区切られ、スロット25fは突起ペア22f、23fと突起ペア22g、23gによって区切られ、スロット25gは突起ペア22g、23gと突起ペア22h、23hによって区切られ、スロット25hは突起ペア22h、23hと突起ペア22i、23iによって区切られ、かつスロット25iは突起ペア22i、23iと突起ペア22j、23jによって区切られる。スロット25jは、突起ペア22j、23jとリブ26aによって区切られるため例外である。複数のスロット25a、25b、…25jは互いに平行で、実質的に同じ幅と長さで、互いに関して等しい間隔を空けるのが望ましい。皿乾燥アセンブリ10は好適な実施態様では10組の補完的突起ペアと10個のスロットとを備えるが、皿乾燥アセンブリ10はそれより少ない、あるいは多い数の突起ペア及びスロットを備えていいことは明らかである。
【００３１】
図6に示すように、マット11は、折り目19aと19bをさらに備える。折り目19aと19bはそれぞれ第2マット側面18bから第4マット側面18dまでマット11を横切り横方向に延び、2つのセグメントそれぞれの間の仕切りとして作用する。特に、第1折り目19aは第1底面セグメント14aと第2底面セグメント14b及び対応する第1上面セグメント13aと第2上面セグメント13bを分ける。同様に、第2折り目19bは第2底面セグメント14bと第3 底面セグメント14c及び対応する第2上面セグメント13bと第3上面セグメント13cを分ける。マット11は、折り目19aと19b周囲で閉位置に折り畳み可能に機能的に配置される。図11に示すように、第3上面セグメント13cは第2折り目19b周囲で折り畳まれ、ラック12に接触する。第1上面セグメント13aは第1折り目19a周囲で折り畳まれ、第3底面セグメント14cに接触する。マット11は、第1底面セグメント14aに固定された底ストラップ29をさらに備えることが望ましく、これをユーザがマット11周囲で約180度持ち上げて引くことで、第2底面14bに接触させ、マット11を閉位置に固定する。皿乾燥アセンブリ10はストラップを介して閉位置に固定されることが望ましいが、皿乾燥アセンブリを閉位置に固定するための取付手段はストラップ、フック及びループファスナー、ボタン等、当業で周知のあらゆる好適な取付手段でよいことが理解される。
【００３２】
皿乾燥アセンブリ10は、ストラップ15aと15bを持ち上げ、ストラップ15aと15bの下からラック縁21bと21dをそれぞれ持ち上げ、及び/又はスライドさせることにより、第1開位置で分解される。同様に、皿乾燥アセンブリ10は、ストラップ16aと16bを持ち上げ、ストラップ16aと16bの下からラック縁21bと21dをそれぞれ持ち上げ、及び/又はスライドさせることにより、第2開位置で分解する。分解すると、ラック12とマット11は効率的に洗浄でき、コンパクトに保管できる。しかしながら、皿乾燥アセンブリ10は保管のために分解する必要はなく、上述のように、皿乾燥アセンブリ10は上記閉位置で保管してよいことが理解される。
【００３３】
ラック12は、プラスチック等の実質的に剛性で耐水性の材料で作り、水のダメージによる歪みの可能性なしに苛烈な使用に耐え得るようにすることが望ましい。しかしながら、ラックは金属や木等、当業で周知のあらゆる好適な材料で作ることが可能であることが理解される。逆に、マット11は、マイクロファイバー、布等の実質的に柔軟で吸収性のある材料で作られる。しかしながら、マットは同様に、当業で周知のあらゆる好適な材料で作ることが可能であることが理解される。
【００３４】
そのため、本発明の目的は効率的に得られることがわかるが、発明の修正や変更は当業者にとって容易に明白であり、その修正は特許請求の発明の精神、及び範囲内であることを意図する。また、上記説明は本発明の例示であり、限定するものと考慮するべきではないことも理解される。従って、本発明の他の実施態様は、本発明の精神と範囲から逸脱することなく可能である。
【図１】
2017113509.tif 000003
【図２】
2017113509.tif 000004
【図３】
2017113509.tif 000005
【図４】
2017113509.tif 000006
【図５】
2017113509.tif 000007
【図６】
2017113509.tif 000008
【図７】
2017113509.tif 000009
【図８】
2017113509.tif 000010
【図９】
2017113509.tif 000011
【図１０】
2017113509.tif 000012
【図１１】
2017113509.tif 000013
【外国語明細書】
2017113509000001.pdf